(57)【要約】  【課題】  画像と画像に付与された注釈情報を、それらの対応関係に応じて効率よく、転送することが可能なシステムを提供する。  【解決手段】  デジタルカメラとパーソナルコンピュータとで転送システムを構成し、デジタルカメラからパーソナルコンピュータに画像および注釈情報を転送する際には、それらの対応関係を示す関連付け情報を最初に送信する。パーソナルコンピュータは、関連付け情報に基づいてフォルダ構造を作成しておき、画像や注釈情報が転送されるごとに、それらを作成したフォルダ構造に含めていく。また、パーソナルコンピュータは、関連付け情報に基づいてフォーマット画面を表示し(a)、画像や注釈情報が転送されるごとに、それらのサムネイル画像をフォーマット画面上に表示する(b,c)。【選択図】      図８
2005148777.tif 000002
【特許請求の範囲】
【請求項１】
画像と、画像の一部の領域に対して付与された注釈情報と、画像と注釈情報との対応関係を示す関連付け情報を記録した記録媒体と、
関連付け情報に基づいて画像と注釈情報を処理する画像処理装置と、
前記記録媒体に記録されている画像と注釈情報と関連付け情報を前記画像処理装置に転送する転送手段から成る注釈情報付き画像の転送システムにおいて、
前記転送手段は、関連付け情報を転送した後に、その関連付け情報が対応関係を示す画像と注釈情報を転送することを特徴とする注釈情報付き画像の転送システム。
【請求項２】
前記画像処理装置は、表示手段を有して、前記転送手段によって関連付け情報が転送されたときに、転送された関連付け情報に基づいて、画像と注釈情報を個別に表示するための領域を表すフォーマット画面を前記表示手段に表示するとともに、前記転送手段によって画像と注釈情報のいずれかが転送されるごとに、転送された画像または注釈情報を前記表示手段に表示しているフォーマット画面に表示することを特徴とする請求項１に記載の注釈情報付き画像の転送システム。
【請求項３】
前記転送手段は、注釈情報が付与されている画像を、その注釈情報よりも先に転送することを特徴とする請求項１または請求項２に記載の注釈情報付き画像の転送システム。
【請求項４】
前記記録媒体が複数の画像とそれらの画像に付与された複数の注釈情報を記録しているとき、前記転送手段は、全ての画像と注釈情報との対応関係を示す全ての関連付け情報を転送した後に、画像と注釈情報を転送することを特徴とする請求項１から請求項３までのいずれか１項に記載の注釈情報付き画像の転送システム。
【請求項５】
画像を撮影するとともに、撮影した画像の一部の領域に注釈情報を付与し、画像と注釈情報との対応関係を示す関連付け情報を生成する撮像装置を含み、前記記録媒体と前記転送手段が前記撮像装置に設けられて、前記記録媒体は、前記撮像装置によって撮影された画像と画像に付与された注釈情報と生成された関連付け情報を記録することを特徴とする請求項１から請求項４までのいずれか１項に記載の注釈情報付き画像の転送システム。
【請求項６】
画像と、画像の一部の領域に対して付与された注釈情報と、画像と注釈情報との対応関係を示す関連付け情報を記録した記録媒体から、関連付け情報に基づいて画像と注釈情報を処理する画像処理装置に、画像と注釈情報と関連付け情報を転送する注釈情報付き画像の転送方法において、
関連付け情報を転送した後に、その関連付け情報が対応関係を示す画像と注釈情報を転送することを特徴とする注釈情報付き画像の転送方法。
【発明の詳細な説明】
【技術分野】
【０００１】
本発明は、画像と画像の一部の領域に対して付与された注釈情報を、記録媒体から画像処理装置に転送する注釈情報付き画像の転送システムおよび転送方法に関する。
【背景技術】
【０００２】
近年、デジタルカメラで撮影した画像の一部の領域に注釈情報を付与して、画像が有する情報伝達の機能を高めることが提案されている。画像への注釈情報の付与は画像を撮影したデジタルカメラ自体で行われることもあれば、画像をパーソナルコンピュータに転送して、パーソナルコンピュータ上で行われることもある。いずれにしても、使用者は、画像の任意の位置に任意の大きさの領域を設けて、画像、音声、文字列等を注釈情報として付与することができる。１つの画像に複数の注釈情報を付与することも可能である。
【０００３】
デジタルカメラやパーソナルコンピュータは画像や注釈情報を記録媒体に記録しておくが、記録媒体には複数の画像が記録されるから、画像に付与された注釈情報を有効に利用するためには、画像と注釈情報との対応関係を明確にしておく必要がある。このため、画像と注釈情報に加えて、画像と注釈情報との対応関係を示す関連付け情報が記録媒体に記録される。そして、デジタルカメラからパーソナルコンピュータに画像と注釈情報を転送するとき、あるいは、パーソナルコンピュータから他のパーソナルコンピュータに画像と注釈情報を転送するときには、関連付け情報も転送される。
【０００４】
一方、画像データをはじめとするデジタルデータは階層化されたディレクトリ（フォルダ）構造で管理するのが一般的であり、デジタルデータを１つの装置から他の装置に転送する際に、送信側の装置のディレクトリ構造を受信側の装置で再現することも行われている。特開２００２−３５８２２８号では、デジタルデータを送受信するシステムにおいて、受信側の装置でディレクトリ構造を再現しながらデジタルデータを効率よく受信するために、各デジタルデータの送信に先立ってディレクトリ構造を示す情報を送信することが提案されている。受信側の装置は、受信した情報に基づいてディレクトリ構造を作成しておいて、その後に受信する各デジタルデータを作成したディレクトリ構造で管理することができる。
【特許文献１】特開２００２−３５８２２８号公報
【発明の開示】
【発明が解決しようとする課題】
【０００５】
画像と画像に付与された注釈情報を転送する際にも、画像や注釈情報を管理しているディレクトリ構造を再現することは有用である。しかしながら、転送先の装置が、転送元の装置あるいは記録媒体のディレクトリ構造に従って、画像や注釈情報を管理する必要はなく、転送先の装置にとっては、画像と注釈情報をそれらの対応関係に応じて管理することの方が重要である。
【０００６】
ところが、画像と画像に付与された注釈情報を転送する際に、画像と注釈情報との対応関係を考慮することについては提案されておらず、画像と注釈情報を、それらの対応関係に応じて効率よく転送するシステムがないのが現状である。また、転送中に、どの画像とどの注釈情報が転送されたかを、転送先の装置の使用者が容易に知ることができるようにしたシステムもない。
【０００７】
本発明は、このような問題点に鑑みてなされたもので、画像と画像に付与された注釈情報を、それらの対応関係に応じて効率よく、記録媒体から画像処理装置に転送することが可能なシステムおよび方法を提供することを目的とする。また、転送中に、転送先の装置の使用者が、転送の進行状況を容易に知ることができるシステムおよび方法を提供することを目的とする。
【課題を解決するための手段】
【０００８】
上記目的を達成するために、本発明では、画像と、画像の一部の領域に対して付与された注釈情報と、画像と注釈情報との対応関係を示す関連付け情報を記録した記録媒体と、関連付け情報に基づいて画像と注釈情報を処理する画像処理装置と、前記記録媒体に記録されている画像と注釈情報と関連付け情報を前記画像処理装置に転送する転送手段から成る注釈情報付き画像の転送システムにおいて、前記転送手段は、関連付け情報を転送した後に、その関連付け情報が対応関係を示す画像と注釈情報を転送するようにする。
【０００９】
この転送システムでは、画像や注釈情報の転送に先立って、それらの対応関係を示す関連付け情報が送信されるため、画像や注釈情報を受ける側である画像処理装置は、画像と注釈情報の対応関係に応じたディレクトリ（フォルダ）構造を作成しておいて、その後に転送されてくる画像や注釈情報をそのディレクトリ構造に順次含めていくことができる。したがって、転送に際しての画像処理装置の効率が高くなる。
【００１０】
ここで、前記画像処理装置は、表示手段を有して、前記転送手段によって関連付け情報が転送されたときに、転送された関連付け情報に基づいて、画像と注釈情報を個別に表示するための領域を表すフォーマット画面を前記表示手段に表示するとともに、前記転送手段によって画像と注釈情報のいずれかが転送されるごとに、転送された画像または注釈情報を前記表示手段に表示しているフォーマット画面に表示するようにするとよい。
【００１１】
このようにすると、画像処理装置の使用者は、転送されるはずの画像と注釈情報がいくつあるかをそれらが転送される前に知ることができる上、画像や注釈情報が転送されるごとに、それらが転送済みであることを知ることができる。
【００１２】
前記転送手段は、注釈情報が付与されている画像を、その注釈情報よりも先に転送するようにするとよい。画像よりも先に注釈情報を転送した場合、何らかの理由によって転送が不成功に終わると、画像が転送されていない状態となる。このとき、注釈情報の転送に成功していても、その注釈情報が付与された画像がないのでは、注釈情報はほとんど意味をもたなくなる。しかし、画像の方を先に転送すれば、たとえ転送が不成功に終わったときでも、注釈情報よりも有用な画像の転送は成功していることがある。また、同一の画像に複数の注釈情報が付与されているときには、画像と少なくとも一部の注釈情報の転送が成功する可能性が高くなる。
【００１３】
前記記録媒体が複数の画像とそれらの画像に付与された複数の注釈情報を記録しているとき、前記転送手段は、全ての画像と注釈情報との対応関係を示す全ての関連付け情報を転送した後に、画像と注釈情報を転送するようにするとよい。このようにすると、全ての画像と注釈情報のディレクトリ構造を作成した上で、その後に転送されてくる画像や注釈情報をそのディレクトリ構造に順次含めていくことができる。
【００１４】
上記の注釈情報付き画像の転送システムはいずれも、画像を撮影するとともに、撮影した画像の一部の領域に注釈情報を付与し、画像と注釈情報との対応関係を示す関連付け情報を生成する撮像装置を含み、前記記録媒体と前記転送手段が前記撮像装置に設けられて、前記記録媒体は、前記撮像装置によって撮影された画像と画像に付与された注釈情報と生成された関連付け情報を記録するものとすることができる。
【００１５】
前記目的を達成するために、本発明ではまた、画像と、画像の一部の領域に対して付与された注釈情報と、画像と注釈情報との対応関係を示す関連付け情報を記録した記録媒体から、関連付け情報に基づいて画像と注釈情報を処理する画像処理装置に、画像と注釈情報と関連付け情報を転送する注釈情報付き画像の転送方法において、関連付け情報を転送した後に、その関連付け情報が対応関係を示す画像と注釈情報を転送するようにする。
【発明の効果】
【００１６】
本発明によれば、画像や注釈情報の転送に先立って、それらの対応関係を示す関連付け情報が転送されるため、画像や注釈情報を受ける側である画像処理装置は、画像と注釈情報の対応関係に応じたディレクトリ構造を作成しておいて、その後に転送されてくる画像や注釈情報をそのディレクトリ構造に順次含めていくことができる。したがって、転送に際しての画像処理装置の効率が高くなる。
【００１７】
特に、画像処理装置が、表示手段を有して、転送手段によって関連付け情報が転送されたときに、転送された関連付け情報に基づいて、画像と注釈情報を個別に表示するための領域を表すフォーマット画面を前記表示手段に表示するとともに、転送手段によって画像と注釈情報のいずれかが転送されるごとに、転送された画像または注釈情報を前記表示手段に表示しているフォーマット画面に表示するようにすると、画像処理装置の使用者は、転送されるはずの画像と注釈情報がいくつあるかをそれらが転送される前に知ることができる上、画像や注釈情報の転送中にはその進行状況を知ることができる。
【発明を実施するための最良の形態】
【００１８】
以下、本発明の一実施形態について図面を参照しながら説明する。本実施形態の転送システムに含まれるデジタルカメラ１００を図１に示す。図１において（ａ）、（ｂ）はそれぞれデジタルカメラ１００の斜視図および背面図である。
【００１９】
デジタルカメラ１００は、前面に撮影レンズ１、ファインダ前窓３、フラッシュ発光部４、上面にレリーズボタン５、液晶表示器６、２つの撮影モード設定ボタン７、側面に着脱可能な記録媒体１０１を装着するための挿入口８、背面に液晶表示器９、ファインダ後窓１０、ズームボタン１１、３つの操作ボタン１２、十字ボタン１３、マイクロフォン１４、およびスピーカ１５を備えている。デジタルカメラ１００は、ＣＣＤエリアセンサ２を内蔵しており、撮影対象からの光を撮影レンズ１でＣＣＤセンサ２上に結像させて、電気信号に変換することにより画像を撮影する。
【００２０】
撮影した画像には、使用者が指定する領域に、注釈情報（アノテーション）を付与することができる。アノテーションには、画像、文字列、および音声の３種がある。以下、アノテーションとしての画像、文字列および音声を、それぞれアノテーション画像、アノテーション文字列、アノテーション音声とよび、アノテーションが付与された画像およびアノテーションが付与される画像を親画像ともよぶ。アノテーション画像は、他の画像と同様に、撮影によって得られる。アノテーション文字列は、キーボード像が液晶表示器９に表示されている状態で、操作ボタン１２および十字ボタン１３を操作することによって入力される。また、アノテーション音声はマイクロフォン１４を介して入力される。
【００２１】
アノテーション画像を含む全ての画像は、液晶表示器９に表示することができる。アノテーション文字列も液晶表示器９に表示することができる。アノテーション音声はスピーカ１５から出力することができる。
【００２２】
レリーズボタン５は、半押しされたときに、自動露光制御および自動焦点調節を指示するＳ１信号を発し、全押しされたときに、記録する画像の撮影開始と、撮影した画像の記録媒体１０１への記録を指示するＳ２信号を発する。液晶表示器６は、デジタルカメラ１００の設定状況を表示する。デジタルカメラ１００は、親画像を含む通常の画像を撮影する通常撮影モードとアノテーション画像を撮影するアノテーション撮影モードとを有しており、撮影モード設定ボタン７はこれらのモードの切り換えの指示のために操作される。記録媒体１０１は撮影された画像を記録するもので、例えば、半導体メモリを内蔵し薄型に構成されたメモリカードを用いることができる。
【００２３】
液晶表示器９は、撮影された画像および操作案内を表示する。デジタルカメラ１００は、画像を撮影する撮影モードと画像を再生表示する再生モードを有しており、撮影モードに上述の通常撮影モードおよびアノテーション撮影モードがある。撮影モードにおいては、略一定の周期で画像の撮影が繰り返し行われ、撮影した画像は直ちに液晶表示器９に表示される。この画像は、撮影中の被写体を表すライブビューとなり、ファインダ後窓１０を介して観察される光学像と共に、フレーミングやズーミングの参考に利用される。
【００２４】
再生モードでは、記録媒体１０１に記録している画像を読み出して、液晶表示器９に表示する。再生モードで表示する画像には、親画像を含む通常の画像と、アノテーション画像が含まれる。再生モードではまた、アノテーション文字列の液晶表示器９への再生表示、アノテーション音声のスピーカ１５からの再生出力も行うことができる。
【００２５】
ズームボタン１１は、ズームレンズである撮影レンズ１の焦点距離の設定のために操作される。操作ボタン１２は、液晶表示器９に操作案内が表示されているときに、項目の選択や決定のために操作される。３つの操作ボタン１２の機能は、表示される操作案内に応じて変化する。操作ボタン１２の機能は、撮影条件に関するものと、アノテーションの付与に関するものに大別される。アノテーションの付与に関する機能で操作ボタン１２を分類すれば、アノテーションの種類やアノテーションを付与する画像（親画像）を選択するための選択ボタン、アノテーションを付与する領域の大きさを切り換えるサイズ切り換えボタン、選択した親画像や切り換えた大きさに決定するための決定ボタン等がある。
【００２６】
十字ボタン１３は、左右方向に並ぶ２つの接点と、上下方向に並ぶ２つの接点の計４接点を有しており、液晶表示器９に表示されるカーソル（ポインタ）の上下左右への移動を指示するために操作される。アノテーションを付与する領域の位置は、この十字ボタン１３を操作することによって、変えることができる。以下、十字ボタン１３を上下左右ボタンともよぶ。
【００２７】
アノテーション撮影における処理の流れを図２に示し、その処理の間に液晶表示器９に表示する画像の例を図３に示す。以下、これらの図を参照して、アノテーション撮影における処理の流れを説明する。
【００２８】
アノテーション撮影モードに設定されると、まず、親画像を選択する案内画面を液晶表示器９に表示する（図２ステップ＃５）。この案内画面には、図３（ａ）に示すように、記録媒体１０１に記録されている画像のサムネイル画像（縮小画像）を並べて表示する。次いで、選択ボタンの操作によっていずれかの画像が選択され、決定ボタンの操作によって、選択された画像を親画像とすることが指示されるのを待つ（＃１０）。
【００２９】
親画像が決定されると、その画像のどの部分をアノテーションを付与する領域とするかの案内画面を表示する（＃１５）。この案内画面には、図３（ｂ）に示すように、親画像全体と、アノテーションを付与する領域のデフォルトとしてあらかじめ定められている領域を示す枠Ｆを表示する。そして、上下左右ボタンの操作により領域の移動が指示されたか否かを判定し（＃２０）、指示されたときは、図３（ｃ）に示すように、領域（枠Ｆ）を指示に応じて移動させる（＃２５）。
【００３０】
次いで、サイズ切り換えボタンの操作により、領域の大きさの切り換えが指示されたか否かを判定し（＃３０）、指示されたときは、図３（ｄ）に示すように、領域（枠Ｆ）の大きさを切り換える（＃３５）。領域の大きさは、あらかじめ数段階に設定されており、サイズ切り換えボタンが操作されるごとに１段階ずつ大きくしていく。なお、領域の大きさが最大の状態（親画像の全体に一致している状態）でサイズ切り換えボタンが操作されたときには、領域の大きさを最小にする。
【００３１】
次いで、決定ボタンの操作によりアノテーションを付与する領域の位置および大きさの決定が指示されたか否かを判定し（＃４０）、指示がなければステップ＃２０に戻る。指示があったときは、図３（ｅ）に示すよう、ライブビューを表示する（＃４５）。なお、ライブビューとして表示される画像の撮影は、撮影モードに設定された時点で開始しており、ステップ＃５〜＃４０までの処理では、表示のみを休止している。
【００３２】
ライブビュー表示後、レリーズボタン５の操作によってＳ２信号が生成されるのを待つ（＃５０）。レリーズボタン５が操作されると、Ｓ２信号に先立ってＳ１信号が生成されるから、Ｓ１信号が生成された時点で、自動露光調節および自動焦点調節を行っておく。
【００３３】
Ｓ２信号が生成されると、画像を撮影し、これをアノテーション画像として、記録媒体１０１に記録する（＃５５）。そして、親画像とアノテーション画像の対応関係を示す関連付けファイルを作成して、記録媒体１０１に記録する（＃６０）。
【００３４】
デジタルカメラ１００におけるファイルフォルダの構造を図４に示す。この例では、ＰＩＣＴ０００１．ＪＰＧとＰＩＣＴ０００４．ＪＰＧとが親画像のファイルとなっている。これらのファイルはＤＣＦ（デジタルカメラフォーマット）フォルダである１００ＭＬＴ０９内に置かれており、さらにアノテーションフォルダＡＮＮ０００１とＡＮＮ０００４がフォルダ１００ＭＬＴ０９内に存在する。アノテーションフォルダの番号０００１、０００４はそれぞれ、親画像のファイルＰＩＣＴ０００１．ＪＰＧ、ＰＩＣＴ０００４．ＪＰＧの番号部分と同じであり、これにより親画像とアノテーションフォルダとの対応付けがなされている。
【００３５】
各アノテーションフォルダ内には、関連付けファイル、アノテーション画像ファイル、アノテーション音声ファイルが格納されている。例えば、フォルダＡＮＮ０００１については、ＡＮＮ０００１．ＴＸＴが関連付けファイルであり、ＡＮＮ０００１．ＪＰＧとＡＮＮ０００２．ＪＰＧの２つがアノテーション画像ファイル、ＡＮＮ０００１．ＷＡＶ、ＡＮＮ０００２．ＷＡＶの２つがアノテーション音声ファイルである。
【００３６】
デジタルカメラ１００において、アノテーション画像が付与された親画像を再生表示するときに、最初に表示する画面のいくつかの例を図５に示す。再生モードに設定されると、親画像とアノテーション画像が、サムネイル画像として並べて表示され、アノテーション画像がどの親画像に付与されたものであるかを示す像も表示される。
【００３７】
（ａ）は、２つの親画像Ｍ１、Ｍ３と２つのアノテーション画像Ｍ２、Ｍ４を表示したものである。親画像Ｍ１、Ｍ３は画面の左半分に表示され、アノテーション画像Ｍ２、Ｍ４は画面の右側に表示される。アノテーション画像Ｍ２と親画像Ｍ１との間に表示されている左向きの三角形の像は、前者が後者に付与されていることを示し、同様に、アノテーション画像Ｍ４と親画像Ｍ３との間に表示されている左向きの三角形の像は、前者が後者に付与されていることを示す。
【００３８】
（ｂ）は、１つの親画像Ｍ１と２つのアノテーション画像Ｍ２、Ｍ４を表示したものである。２つのアノテーション画像Ｍ２、Ｍ４を長方形の像が囲んでおり、この長方形の像が左向きの三角形の像に連なっている。これらの像は、アノテーション画像Ｍ２、Ｍ４が共に親画像Ｍ１に付与されていることを示す。親画像Ｍ１の下方には、下向きの三角形の像Ｎ１が表示されており、この像Ｎ１は、親画像Ｍ１以外の親画像が存在することを示す。上下左右キーで親画像を選択し、さらに下キー（上下左右キーの一部）を操作すると、次の親画像と、それに付与されているアノテーション画像が表示される。
【００３９】
（ｃ）も、１つの親画像Ｍ１と２つのアノテーション画像Ｍ２、Ｍ４を表示したものである。（ｂ）との相違は、三角形の像Ｎ１に代えて別の三角形の像Ｎ２が表示されている点である。この像Ｎ２は、アノテーション画像Ｍ２、Ｍ４の下方に表示されており、アノテーション画像Ｍ２、Ｍ４のほかにも親画像Ｍ１に付与されているアノテーション画像が存在することを示す。上下左右キーでアノテーション画像Ｍ４を選択し、さらに下キーを操作すると、親画像Ｍ１に付与されている次のアノテーション画像が表示される。
【００４０】
（ｄ）は、２つの親画像Ｍ１、Ｍ４と、４つのアノテーション画像Ｍ２、Ｍ３、Ｍ５、Ｍ６を表示したものである。アノテーション画像Ｍ２、Ｍ３は親画像Ｍ１に並べて表示されており、アノテーション画像Ｍ５、Ｍ６は親画像Ｍ２に並べて表示されている。アノテーション画像Ｍ２と親画像Ｍ１の間に表示されている左向きの三角形の像は、アノテーション画像Ｍ２、Ｍ３が親画像Ｍ１に付与されていることを示しており、同様に、アノテーション画像Ｍ５と親画像Ｍ４の間に表示されている左向きの三角形の像は、アノテーション画像Ｍ５、Ｍ６が親画像Ｍ４に付与されていることを示している。
【００４１】
このような形態で親画像とアノテーション画像のサムネイル画像を表示することで、親画像とアノテーション画像の関係を判り易く示すことができる。なお、ここに示した例よりも多くのサムネイル画像を一度に表示するようにしてもよい。
【００４２】
本実施形態の転送システムにおける画像処理装置であるパーソナルコンピュータ２００を図６に模式的に示す。パーソナルコンピュータ２００は、ＣＰＵ、メモリ、ハードディスク等より成る制御部を内蔵した本体２１、キーボード２２、マウス２３、および表示部２４を備えている。本体２１には、前述の記録媒体１０１および光ディスク等の他の記録媒体を装着することが可能であり、デジタルカメラやインターネットを接続することもできる。また、図示しないが、本体２１にはスピーカが備えられており、マイクロフォンを接続することもできる。
【００４３】
パーソナルコンピュータ２００は、画像を撮影することはできないが、デジタルカメラ１００と同様に、画像の一部の領域にアノテーションを付与する機能と、画像およびアノテーションを再生する機能を有する。親画像、アノテーション画像、およびアノテーション文字列の再生は表示部２４に表示することによって行う。これらの機能に関する処理をはじめ、パーソナルコンピュータ２００が行う全ての処理はハードディスクに記録されている。
【００４４】
アノテーションを付与される画像は、他の装置、例えばデジタルカメラ１００で撮影されて、パーソナルコンピュータ２００に提供される。画像は、記録媒体１０１に記録されて、または不図示のケーブルを介して提供される。なお、インターネット上のウェブサイトからのダウンロード、あるいは電子メールの添付ファイルとして画像を取得することも可能である。
【００４５】
パーソナルコンピュータ２００では、アノテーションを付与する際の親画像の選択や、アノテーションを付与する領域の位置や大きさの設定は、表示部２４に操作案内を表示して、デジタルカメラ１００と同様にして行う。操作にはキーボード２２あるいはマウス２３を用いる。アノテーション画像の選択も、親画像の選択と同様にして行う。
【００４６】
パーソナルコンピュータ２００において、アノテーション画像が付与された親画像を再生表示するときの表示例を図７に示す。まず、（ａ）に示すように、親画像とアノテーション画像が、サムネイル画像として並べて表示され、アノテーション画像がどの親画像に付与されたものであるかを示す前述の像も表示される。なお、アノテーション文字列やアノテーション音声は、サムネイル画像として表すことができないので、それぞれ所定の図形で表す。
【００４７】
この例では、３つの親画像Ｍ１、Ｍ３、Ｍ５と１１のアノテーション画像が表示されている。６つのアノテーション画像Ｍ２は、親画像Ｍ１に付与されており、３つのアノテーション画像Ｍ４は親画像Ｍ３に付与されており、２つのアノテーション画像Ｍ６は親画像Ｍ５に付与されている。
【００４８】
表示されているサムネイル画像はいずれも、マウス２３またはキーボード２２の操作によって選択することができる。アノテーション文字列やアノテーション音声を表す図形も同様である。
【００４９】
いずれかの親画像のサムネイル画像を選択すると、その画像が縮小前の通常の形態で表示され、その親画像に付与されているアノテーション画像のサムネイル画像とファイル名も表示される。図７の（ｂ）はその一例である。表示されたファイル名も選択可能である。
【００５０】
この状態で、いずれかのアノテーション画像のサムネイル画像またはファイル名を選択すると、そのアノテーション画像が付与されている領域を示す枠Ｆが、表示中の親画像に重ねて表示される。図７の（ｃ）はその一例である。このように、枠Ｆを親画像に重ねて表示することで、親画像のどの部分に対してアノテーション画像が付与されているのかが明確になる。
【００５１】
デジタルカメラ１００からパーソナルコンピュータ２００に、あるいはデジタルカメラ１００より取り外してパーソナルコンピュータ２００に装着した記録媒体１０１からパーソナルコンピュータ２００に画像とアノテーションを転送する際には、画像とアノテーションとの対応関係を記した関連付けファイルも転送する。デジタルカメラ１００には、これらの転送を含む処理を行う制御部が設けられており、パーソナルコンピュータ２００では、前述の制御部がこれらの転送の処理を行う。
【００５２】
転送に際しては、画像とアノテーションに先立って、関連付けファイルを転送する。アノテーションが付与された親画像が複数あり、したがって、関連付けファイルが複数ある場合には、全ての関連付けファイルを転送した後に、親画像ファイルとアノテーションファイルを転送する。さらに、全ての親画像ファイルを転送した後にアノテーションファイルを転送する。
【００５３】
デジタルカメラ１００または記録媒体１０１から画像、アノテーションおよび関連付けファイルを受ける側のパーソナルコンピュータ２００では、先に転送される関連付けファイルに記されている画像とアノテーションの対応関係に基づいて、画像ファイル、アノテーションファイルおよび関連付けファイルを管理するためのフォルダ（ディレクトリ）構造を作成しておき、その後に画像ファイルやアノテーションファイルが転送されるごとに、転送されたファイルをフォルダ構造に含めていく。
【００５４】
なお、パーソナルコンピュータ２００は、デジタルカメラ１００でのフォルダ構造をそのまま再現することができるが、独自のフォルダ構造を作成することもできる。例えば、前述の図４では、複数の親画像ファイルを１つのフォルダに収容し、そのフォルダに複数のアノテーションフォルダを収容していたが、１つの親画像と、それに付与されている全てのアノテーションと、それらの対応関係を示す関連付け情報のファイルを１つのフォルダに収容して、親画像ごとに個別にフォルダを作成することも可能である。
【００５５】
このように、フォルダ構造を転送前のものから変更し得るようにすることで、パーソナルコンピュータ２００での画像およびアノテーションの管理が容易になる。また、画像ファイルやアノテーションファイルよりも先にそれらの対応関係を記した関連付けファイルを転送しておくことで、パーソナルコンピュータ２００では、フォルダ構造を作成した上で、画像ファイルやアノテーションファイルを受けることができ、ファイルを受けながらフォルダ構造に含めて行くことができる。したがって、転送終了時にはフォルダ構造が完成しており、転送後にフォルダ構造を変更する処理は必要ない。
【００５６】
また、アノテーションファイルの転送に先立って全ての親画像を転送することで、転送が途中で不成功に終わったときでも、単独での利用価値がアノテーションよりも大きい親画像を、より多く転送することができる。
【００５７】
パーソナルコンピュータ２００は、関連付けファイルを受けると、それに記されている対応関係に基づいて、その後に受ける画像およびアノテーションをサムネイル画像として個別に表示するための領域を表すフォーマット画面を表示部２４に表示する。このフォーマット画面では、親画像の領域とその親画像に付与されているアノテーションの領域を並べて表すとともに、前述の三角形の像や長方形の像を表示して、どのアノテーションがどの親画像に付与されたものであるかを明確にする。
【００５８】
ここで、複数の親画像を表示するための領域は、それらの撮影の順序（ファイル名の連番の順序）に従って、順に配置する。同一の親画像に付与されている複数のアノテーションを表示するための領域も、それらの生成の順序に従って順に配置する。また、親画像ファイルやアノテーションファイルの転送は、全ての親画像ファイルを先に転送してその後にアノテーションファイルを転送するという条件の下で、撮影や生成の順に、つまり、フォーマット画面内の領域の配置順に行う。
【００５９】
ただし、アノテーション画像、アノテーション文字列、アノテーション音声が混在しているときは、データ量の少ないアノテーション文字列やアノテーション音声を、アノテーション画像よりも先に転送するようにしてもよい。このようにすると、転送が途中で不成功に終わった場合でも、より多くのアノテーションを転送し終えている状態とすることができる。
【００６０】
フォーマット画面を作成して表示した後は、親画像ファイルやアノテーションファイルを受けるごとに、それらの画像やアノテーションのサムネイル画像を、表示中のフォーマット画面上に表示していく。したがって、パーソナルコンピュータ２００の使用者には、転送前に、転送されるべき画像やアノテーションの数が判り、また、転送中には、転送の進行状況、すなわち、どの画像とどのアノテーションが既に転送されたかが判る。さらに、アノテーションと親画像の対応関係も判る。
【００６１】
なお、アノテーション文字列およびアノテーション音声については、サムネイル画像として表示することはできないので、サムネイル画像に代えて、所定の画像をフォーマット画面上に表示する。
【００６２】
フォーマット画面の例を図８に示す。図８において、（ａ）は、親画像ファイル転送前の状態、（ｂ）は親画像ファイル転送中の状態、（ｃ）はアノテーションファイル転送中の状態を表している。また、斜線を付した領域は、サムネイル画像または所定の画像が表示されていることを示す。
【００６３】
デジタルカメラ１００からパーソナルコンピュータ２００に画像およびアノテーションを転送するときの、パーソナルコンピュータ２００における処理の流れを図９に示す。まず、表示部２４に操作案内を表示して、ファイルの転送が指示されるのを待つ（ステップ＃１０５）。転送が指示されると、デジタルカメラ１００に対してファイルの送信開始を要求する。デジタルカメラ１００からのファイルの送信は、前述の順序で行われる。
【００６４】
次いで、関連付けファイルを受信し（＃１１０）、受信した関連付けファイルに記されている親画像とアノテーションとの対応関係に基づいてフォーマット画面を生成して、生成したフォーマット画面を表示部２４に表示する（＃１１５）。
【００６５】
その後、親画像ファイルの受信を開始する（＃１２０）。そして、親画像ファイルを受信するごとに（＃１２５）、その親画像のサムネイル画像を、表示部２４に表示中のフォーマット画面のうち、その親画像用の領域に表示する（＃１３０）。そして、全ての親画像ファイルを受信し終えたか否かを判定し（＃１３５）、全ての親画像ファイルを受信していなければ、ステップ＃１２５に戻る。
【００６６】
全ての親画像ファイルを受信したときは、アノテーションファイルの受信を開始する（＃１４０）。そして、アノテーションファイルを受信するごとに（＃１４５）、そのアノテーション画像のサムネイル画像を、表示部２４に表示中のフォーマット画面のうち、そのアノテーション画像用の領域に表示する（＃１５０）。なお、受信したアノテーションファイルが画像ファイルではなく、アノテーション文字列またはアノテーション音声のファイルのときには、前述のように、サムネイル画像に代えて所定の画像を表示する。
【００６７】
そして、全てのアノテーションファイルを受信し終えたか否かを判定し（＃１５５）、全てのアノテーションファイルを受信していなければ、ステップ＃１４５に戻り、全てのアノテーションファイルを受信したときは、処理を終了する。
【００６８】
パーソナルコンピュータ２００に装着した記録媒体１０１からパーソナルコンピュータ２００に各ファイルを転送するときの処理も、図９と同様である。相違は、ステップ＃１０５で転送の指示を与えられた後、パーソナルコンピュータ２００自体が記録媒体１０１からファイルの読み取りを行う点のみである。また、図９の処理は、パーソナルコンピュータ２００から他のパーソナルコンピュータやデジタルカメラ１００に各ファイルを転送するときの、受ける側の装置でも採用することができる。
【００６９】
なお、本実施形態では、親画像ファイルを全て転送した後にアノテーションファイルを送信するようにしているが、１つの親画像とそれに付与されている全てのアノテーションを１組として、組単位で順に、親画像ファイルとアノテーションファイルを転送するようにしてもよい。その際、各組の全てのファイルの転送が終了した時点で、アノテーション画像の表示を行うようにすることもできる。
【００７０】
また、本実施形態では、デジタルカメラ１００で、親画像、アノテーション、および関連付け情報を個別のファイルに記録するようにしているが、本発明は、親画像、アノテーション、および関連付け情報を他のファイル構造で記録する場合にも適用可能である。親画像、アノテーション、および関連付け情報を１つのファイルに記録する場合のファイルの内容の例を図１０に示す。これは、１つの親画像に２つのアノテーション画像が付与されているときのものである。
【００７１】
このファイルのヘッダＡには、ファイル名、親画像の作成日時、親画像に付与されているアノテーションの数、各アノテーションが付与されている親画像の領域の位置および大きさ等を記しておく。ファイル名としては親画像のファイル名を用いる。各画像データＢ、Ｃ、Ｄは、親画像およびアノテーション画像を表すものである。
【００７２】
このように、親画像、アノテーションおよび関連付け情報を１つのファイルに記録し、そのようなファイルが複数存在する場合でも、まず各ファイルのヘッダを読み取ることで、全ての関連付け情報を転送した後に、親画像およびアノテーションを転送することができる。最初に、全ての親画像とアノテーションとの対応関係を転送することで、転送先の装置でのファイル構造の作成を効率よく行うことが可能になる。
【図面の簡単な説明】
【００７３】
【図１】本発明の一実施形態の転送システムに含まれるデジタルカメラを模式的に示す図。
【図２】上記デジタルカメラのアノテーション撮影における処理の流れを示すフローチャート。
【図３】上記デジタルカメラがアノテーション撮影の処理の間に表示する画像の例を示す図。
【図４】上記デジタルカメラがアノテーション撮影の処理で生成するファイルのフォルダ構造を示す図。
【図５】上記デジタルカメラにおいて、アノテーション画像が付与された親画像を再生表示するときに最初に表示する画面の例を示す図。
【図６】上記転送システムに含まれるパーソナルコンピュータを模式的に示す図。
【図７】上記パーソナルコンピュータにおいて、アノテーション画像が付与された親画像を再生表示するときの表示の例を示す図。
【図８】上記パーソナルコンピュータに画像およびアノテーションを転送する際に、上記パーソナルコンピュータが表示するフォーマット画面の例を示す図。
【図９】上記デジタルカメラから上記パーソナルコンピュータに画像およびアノテーションを転送する際の、上記パーソナルコンピュータの処理の流れを示すフローチャート。
【図１０】上記デジタルカメラがアノテーション撮影の処理で生成する他のファイルの例を示す図。
【符号の説明】
【００７４】
１００    デジタルカメラ
１    撮影レンズ
２    ＣＣＤエリアセンサ
３    ファインダ前窓
４    フラッシュ発光部
５    レリーズボタン
６    液晶表示器
７    撮影モード設定ボタン
８    記録媒体挿入口
９    液晶表示器
１０    ファインダ後窓
１１    ズームボタン
１２    操作ボタン
１３    十字ボタン
１４    マイクロフォン
１５    スピーカー
１０１    記録媒体
２００    パーソナルコンピュータ
２１    本体
２２    キーボード
２３    マウス
２４    表示部
【図１】
2005148777.tif 000003
【図２】
2005148777.tif 000004
【図３】
2005148777.tif 000005
【図４】
2005148777.tif 000006
【図５】
2005148777.tif 000007
【図６】
2005148777.tif 000008
【図７】
2005148777.tif 000009
【図８】
2005148777.tif 000010
【図９】
2005148777.tif 000011
【図１０】
2005148777.tif 000012